(57)【要約】【課題】要介助者や健常者等、幅の広い層に使い勝手が良い入浴装置を提供する。【解決手段】浴槽に取り付けられる入浴装置１は、座部１４が着脱可能に取り付けられる支柱部１３と、支柱部１３を昇降させる昇降駆動部１２と、浴槽の縁上に載せられて昇降駆動部１２を支持するフレーム部１１と、を備える。【選択図】図１
2015211709.tif 000002
【特許請求の範囲】
【請求項１】
浴槽に取り付けられる入浴装置であって、
座部が着脱可能に取り付けられる支柱部と、
前記支柱部を昇降させる昇降駆動部と、
を備えることを特徴とする入浴装置。  
【請求項２】
前記浴槽の縁上に載せられて前記昇降駆動部を支持するフレーム部を更に備えることを特徴とする請求項１に記載の入浴装置。
【請求項３】
前記フレーム部は、前記昇降駆動部を支持する基部と、前記基部の両端から延在する一対の腕部と、を有することを特徴とする請求項２に記載の入浴装置。
【請求項４】
前記フレーム部は、前記昇降駆動部をスライド移動可能に支持することを特徴とする請求項２又は３に記載の入浴装置。
【請求項５】
前記昇降駆動部は、前記支柱部の昇降方向に延在する縦長形状であることを特徴とする請求項１から４のいずれかに記載の入浴装置。
【請求項６】
前記支柱部は、手で握ることが可能な把持部を含むことを特徴とする請求項１から５のいずれかに記載の入浴装置。
【請求項７】
前記支柱部には、前記座部に座った入浴者の姿勢を安定させるシート部材の一部を取り付ける取付部が設けられていることを特徴とする請求項１から６のいずれかに記載の入浴装置。
【請求項８】
前記シート部材は、前記座部に固定されていることを特徴とする請求項７に記載の入浴装置。
【発明の詳細な説明】
【技術分野】
【０００１】
本発明は、体が不自由で介助が必要な者（以下、要介助者と記載する）を入浴させるのに好適な入浴装置に関する。
【背景技術】
【０００２】
従来、例えば高齢者や身体障害者等の要介助者を座位で入浴させる様々な入浴装置が知られている。例えば、浴槽の底面に載置される脚部と、該脚部に固定される柱部と、該柱部に昇降可能に取り付けられる着座部と、を備え、前記着座部を昇降させる昇降機構が設けられる第１の入浴装置（入浴介助装置）が知られている。当該第１の入浴装置は、未使用時には浴槽から取り出すことも可能である。
【０００３】
上述の第１の入浴装置では、着座部以外に脚部や柱部も浴槽内に入れられるために、浴槽内のスペースが狭くなるという問題がある。この点を考慮して、特許文献１には、浴槽の上面に載置されるベース枠と、該ベース枠に設けられた駆動機構と、被介護者着座用の座部と、該座部の左右側縁部を垂持ちすると共に、前記駆動機構によって繰出し・巻上げ自在に垂れ下がって前記座部を吊持する吊持部材と、を備えた第２の入浴装置（入浴介助装置）が開示されている。
【先行技術文献】
【特許文献】
【０００４】
【特許文献１】特開平１１−２６７１７４号公報
【発明の概要】
【発明が解決しようとする課題】
【０００５】
着座部に加えて脚部や柱部が浴槽内に入れられる上述の第１の入浴装置は、未使用時に浴槽から取り出すことが可能であるが、その重量は必ずしも軽くない。このために、浴槽に対して出し入れするのは負担に感じられやすい。第１の入浴装置を浴槽の中に入れたままとすると、第１の入浴装置を使用することなく入浴できる者にとっては、入浴装置が邪魔に感じられることがある。
【０００６】
また、上述の第２の入浴装置（特許文献１に開示される入浴装置）は、ベース枠が浴槽の縁上に載せられ、座部を昇降させるために繰出し及び巻上げ自在の吊持部材（ワイヤー）を用いる構成であるために、浴槽内は狭くなり難い。しかしながら、この入浴装置は、その構造上、気軽に浴槽から取り除くことができない。このために、第２の入浴装置を使用することなく入浴できる者にとっては、入浴装置が邪魔に感じられることがある。
【０００７】
以上の点に鑑みて、本発明の目的は、要介助者や健常者等、幅の広い層に使い勝手が良い入浴装置を提供することである。
【課題を解決するための手段】
【０００８】
上記目的を達成するために本発明の入浴装置は、浴槽に取り付けられる入浴装置であって、座部が着脱可能に取り付けられる支柱部と、前記支柱部を昇降させる昇降駆動部と、を備える構成（第１の構成）になっている。
【０００９】
本構成によれば、昇降駆動部を用いて支柱部を昇降することによって、座部を昇降できる。このために、本構成の入浴装置は、足腰の弱った要介助者を座位で浴槽内の湯に浸からせるのに好適な装置となり得る。また、本構成の入浴装置は、支柱部に取り付けられる座部を取り外し可能になっている。このために、入浴装置を使用することなく浴槽に入れる者（例えば軽度の要介助者や健常者等）が、入浴装置によって圧迫感を与えられたり、入浴装置を邪魔に感じたりすることを避けられる。なお、座部単体は、比較的重量を軽くでき、その取り外しが面倒とならないことが期待できる。また、座部を外した支柱部は手すりとして代用することも可能である。この点からも、本構成によれば、入浴装置を使用することなく浴槽に入れる者が、入浴装置を邪魔に感じる可能性を低減できる。
【００１０】
上記第１の構成の入浴装置は、前記浴槽の縁上に載せられて前記昇降駆動部を支持するフレーム部を更に備える構成（第２の構成）であるのが好ましい。そして、上記第２の構成の入浴装置において、前記フレーム部は、前記昇降駆動部を支持する基部と、前記基部の両端から延在する一対の腕部と、を有する構成（第３の構成）とするのが好ましい。本構成によれば、既存の浴槽への取付けが簡単で便利である。
【００１１】
上記第２又は第３の構成の入浴装置において、前記フレーム部は、前記昇降駆動部をスライド移動可能に支持する構成（第４の構成）であるのが好ましい。本構成によれば、座部に座った入浴者の移動を簡単に行うことができ、介助者の負担を軽減可能である。また、本構成によれば、入浴装置が使用されない場合に、昇降駆動部や支柱部を邪魔にならない位置に移動し易い。
【００１２】
上記第１から第４のいずれかの構成の入浴装置において、前記昇降駆動部は、前記支柱部の昇降方向に延在する縦長形状である構成（第５の構成）としてもよい。本構成によれば、昇降駆動部が邪魔にならないようにできる。当該効果は、昇降駆動部がスライド移動できる構成の場合に、特に大きくなることが期待できる。
【００１３】
上記第１から第５のいずれかの構成の入浴装置において、前記支柱部は、手で握ることが可能な把持部を含む構成（第６の構成）であるのが好ましい。本構成によれば、入浴装置を使用することなく浴槽に入れる者が、入浴装置の一部を手すり代わりとして使用し易くなる。
【００１４】
上記第１から第６のいずれかの構成の入浴装置において、前記支柱部には、前記座部に座った入浴者の姿勢を安定させるシート部材の一部を取り付ける取付部が設けられている構成（第７の構成）が採用されてよい。本構成によれば、座部に座って入浴を行う入浴者の安全性を向上できる。
【００１５】
上記第７の構成の入浴装置において、前記シート部材は、前記座部に固定されている構成（第８の構成）であってよい。本構成によれば、取り外された座部を支柱部に取り付けることによってシート部材の準備もできるので便利である。
【００１６】
その他、本発明の入浴装置は、浴槽に取り付けられる入浴装置であって、座部が取り付けられる支柱部と、前記支柱部を昇降させる昇降駆動部と、前記支柱部に吊り下げ可能なシート部材と、を備える構成であってよい。本構成によれば、シート部材によって入浴者の姿勢を安定させることが可能であり、入浴者の安全性の向上が期待できる。
【００１７】
また、本発明の入浴装置は、浴槽に取り付けられる入浴装置であって、座部を昇降させるための昇降駆動部と、前記昇降駆動部をスライド移動させるスライド移動機構と、を備え、前記昇降駆動部は前記座部の昇降方向に延在する縦長形状である構成であってよい。本構成によれば、入浴装置を使用しない場合に、昇降駆動部を端によけて邪魔にならないようにし易い。
【発明の効果】
【００１８】
本発明によれば、要介助者や健常者等、幅の広い層に使い勝手が良い入浴装置を提供できる。また、本発明によれば、入浴者の安全性を向上できる入浴装置を提供できる。
【図面の簡単な説明】
【００１９】
【図１】本発明の実施形態に係る入浴装置の構成を示す概略斜視図
【図２】本発明の実施形態に係る入浴装置の構成を示す概略上面図
【図３】本発明の実施形態に係る入浴装置の構成を示す概略側面図
【図４】本発明の実施形態に係る入浴装置が備える昇降駆動部の上部側を拡大して示した概略斜視図
【図５】図１に示す状態から支柱部が降下された状態を示す概略斜視図
【図６】本発明の実施形態に係る入浴装置が備える支柱部の構成を示す概略断面図
【図７】本発明の実施形態に係る入浴装置における座部の取り外し方を説明するための概略斜視図
【図８】本発明の実施形態に係る入浴装置を使って入浴者が浴槽内に入る流れを示した概略斜視図
【図９】本発明の実施形態に係る入浴装置が使用されない場合の状態の一例を示す概略斜視図
【図１０】本発明の実施形態に係る入浴装置の変形例を示す概略斜視図
【図１１】本発明の実施形態に係る入浴装置の他の変形例を示す概略斜視図
【図１２】図１１に示す取付部を拡大して示した概略平面図
【発明を実施するための形態】
【００２０】
以下、本発明の実施形態に係る入浴装置について、図面を参照しながら詳細に説明する。
＜入浴装置の構成＞
【００２１】
図１は、本発明の実施形態に係る入浴装置１の構成を示す概略斜視図である。図２は、本発明の実施形態に係る入浴装置１の構成を示す概略上面図である。図３は、本発明の実施形態に係る入浴装置１の構成を示す概略側面図である。図１から図３に示すように、浴槽に取り付けられる入浴装置１は、大きくは、フレーム部１１と、昇降駆動部１２と、支柱部１３と、座部１４と、を備えている。
【００２２】
フレーム部１１は、基部１１１と、基部１１１の両端から延在する一対の腕部１１２ａ、１１２ｂと、を備えている。基部１１１と各腕部１１２ａ、１１２ｂとのなす角はほぼ９０°であり、フレーム部１１は上面視略コの字状になっている。フレーム部１１は、後述の図８や図９に示されるように、上面視略矩形状の浴槽の縁上に載せられる。なお、基部１１１と各腕部１１２ａ、１１２ｂとのなす角は、フレーム部１１が載せられる浴槽の形状に応じて適宜変更されてよい。また、基部１１１や腕部１１２ａ、１１２ｂは湾曲していても構わない。
【００２３】
一対の腕部１１２ａ、１１２ｂには、それぞれ、固定金具１１３が取り付けられている。固定金具１１３は、腕部１１２ａ、１１２ｂの内側下部に設けられている。固定金具１１３は、例えばネジ式の押当部１１３ａを含む。各腕部１１２ａ、１１２ｂに取り付けられる固定金具１１３の押当部１１３ａを浴槽の内壁に押し当てることによって、フレーム部１１が浴槽からずれるのを防止できる。なお、固定金具の構成や、その取付け位置等は適宜変更されてよい。
【００２４】
昇降駆動部１２は、フレーム部１１の基部１１１にスライド移動可能に支持されている。基部１１１上には、その一方の端部から他方の端部に亘ってレール１１１ａがまっすぐに延在している。昇降駆動部１２の下部側には、レール１１１ａの上面に載った状態となるローラーと、レール１１１ａの長手方向の両側面を挟むように設けられるローラー（不図示）とが含まれている。昇降駆動部１２は、これらのローラーがレール１１１ａに当接しながら転がることによってレール１１１ａに沿ってスライド移動する。
【００２５】
昇降駆動部１２は、その下部側にロックピン（不図示）を含む。当該ロックピンが、レール１１１ａの上面に複数設けられる係合穴１１１ｂのいずれかに嵌り込むと、昇降駆動部１２はスライド移動不可能になる。ロック解除ボタン１２１の押圧によってロックピンが持ち上げられると、ロックピンと係合穴１１１ｂとの係合が解消され、昇降駆動部１２はスライド移動可能になる。また、レール１１１ａの両端部にはストッパー１１１ｃが設けられている。このために、昇降駆動部１２は、レール１１１ａから脱落しない。
【００２６】
なお、昇降駆動部１２を基部１１１に対してスライド移動させるための機構は、以上の構成に限らず、適宜変更されて構わない。例えば、昇降駆動部１２が手動で動かされるのではなく、電動で動かされる構成等であっても良い。また、本実施形態のスライド移動機構では、昇降駆動部１２を固定する位置が所定の位置に限られる構成になっているが、任意の位置で昇降駆動部１２を固定できるように構成しても勿論構わない。また、昇降駆動部１２には、昇降駆動部１２をスライドさせる際の持ち手となる把持部が設けられるのが好ましい。
【００２７】
昇降駆動部１２は、上下方向（昇降方向）に延在する縦長形状になっている。昇降駆動部１２の上下方向の中央部付近には、モーター１２２とギアボックス１２３とが内蔵されている（図３参照）。また、図４に示すように、昇降駆動部１２の上部側には、カバー１２４が着脱可能に被せられるようになっている。カバー１２４を取り外すと、電源スイッチ１２５と、バッテリー１２６とが露出状態になる。なお、図４は、本発明の実施形態に係る入浴装置１が備える昇降駆動部１２の上部側を拡大して示した概略斜視図である。
【００２８】
電源スイッチ１２５がオンされた状態で、昇降駆動部１２の側面に設けられる操作スイッチ部１２７を操作すると、バッテリー１２６から電力が供給されてモーター１２２が駆動する。モーター１２２の回転動力はギアボックス１２３を介して支柱部１３内に設けられるドラム（不図示、後述する）に伝達される。これにより、図５に示すように、支柱部１３が昇降動を行う。なお、図５は、図１に示す状態から支柱部１３が降下された状態を示す概略斜視図である。
【００２９】
図６は、本発明の実施形態に係る入浴装置１が備える支柱部１３の構成を示す概略断面図である。図６（ａ）は、図１のＡ−Ａ位置で切った断面図である。図６（ｂ）は、図１のＢ−Ｂ位置で切った断面図である。なお、図６には、理解を容易とするために、昇降駆動部１２に内蔵されるモーター１２２とギアボックス１２３とが示されている。支柱部１３は、以下の内容から明らかになるように、昇降駆動部１２に対して昇降動を行い、昇降駆動部１２の基部１１１に対するスライド移動に伴ってスライド移動する。
【００３０】
支柱部１３は、その裏面側（昇降駆動部１２と対向する面側）に上下方向（昇降方向）に延在するスリット１３１を備える。スリット１３１は、上端部から下端部まで延びている。支柱部１３内には、ギアボックス１２３の出力軸１２３ａに取り付けられるドラム１３２が配置されている。支柱部１３内に配置されるドラム１３２とギアボックス１２３の出力軸１２３ａとの連結は、スリット１３１を介して行われている。
【００３１】
ドラム１３２には、ワイヤー１３３が巻回されている。モーター１２２が駆動すると、その回転方向に応じてドラム１３２は回転し、ワイヤー１３３を繰り出したり、巻き取ったりする。なお、支柱部１３内には、ドラム１３２から繰り出されたり、ドラム１３２に巻き取られたりするワイヤー１３３の方向をガイドするガイドプーリー１３４も配置されている。ガイドプーリー１３４は、昇降駆動部１２に支持されている。
【００３２】
ドラム１３２に巻回されるワイヤー１３３の一方端は、支柱部１３の下部に固定配置されるワイヤー引掛軸１３５に引掛けられている。これにより、支柱部１３は、ドラム１３２を介して、昇降駆動部１２に吊り持ち支持された状態になっている。また、支柱部１３内には、２つのガイドローラー１３６、１３７が上下方向（昇降方向）に間隔をあけて配置されている。２つのガイドローラー１３６、１３７は、それぞれ、軸部１３６ａ、１３７ａと、軸部１３６ａ、１３７ａの両端部に回動可能に取り付けられるローラー部１３６ｂ、１３７ｂと、を備える。２つの軸部１３６ａ、１３７ａは、それぞれ、昇降駆動部１２に支持されている。ローラー部１３６ｂ、１３７ｂは、いずれも、支柱部１３の正面側内壁と後面側内壁とに当接している。このガイドローラー１３６、１３７の存在により、支柱部１３は昇降駆動部１２に対して傾くことなく昇降動する。
【００３３】
図１（図６）に示す状態で、ドラム１３２がワイヤー１３３を繰り出す方向に回転すると、支柱部１３は自重によりガイドローラー１３６、１３７にガイドされながら降下して図５に示す状態になる。また、図５に示す状態で、ドラム１３２がワイヤー１３３を巻き取る方向に回転すると、支柱部１３はモーター１２２の力によってガイドローラー１３６、１３７にガイドされながら上昇する。
【００３４】
なお、支柱部１３を昇降させる昇降機構は、以上の構成に限らず、適宜変更されて構わない。ワイヤー１３３の代わりに、チェーンやベルト等が用いられても構わない。駆動源も場合によってはモーター以外のものが使用されてもよい。  
【００３５】
入浴者が座る部分である座部１４は、支柱部１３の下部に着脱可能に取り付けられている。支柱部１３に取り付けられた座部１４は、支柱部１３の昇降動と共に昇降動を行う。また、座部１４は、昇降駆動部１２の基部１１１に対するスライド移動に伴ってスライド移動を行う。支柱部１３の下部側の両側面には、座部取付部となる突起部１３８が設けられている。一対の突起部１３８に、座部１４の後方（座部１４に座る入浴者を基準とした表現である）に取り付けられるフック状の一対の係合金具１４１が引っ掛けられることによって、座部１４は支柱部１３に取り付けられる（例えば図１等参照）。
【００３６】
図７は、本発明の実施形態に係る入浴装置１における座部１４の取り外し方を説明するための概略斜視図である。図７に示すように、座部１４を上方向（矢印Ｒ方向）に回転させながら上側に引き上げることによって座部１４は外せる。なお、座部１４を着脱可能に支柱部１３に取り付ける方式は、以上の構成に限らず、別の方式が採用されても構わない。
【００３７】
なお、本実施形態の入浴装置１は、例えば図１から図３等に示すように、座部１４に座った入浴者が背中を当てる背当部１５も備えている。背当部１５は、支柱部１３に取り付けられている。本実施形態では、背当部１５は、座部１４と分離されているが、場合によっては、座部１４と一体的に設けられても構わない。また、背当部１５は、支柱部１３に対して着脱可能であるのが好ましい。背当部１５も、座部１４と同様に、支柱部１３に設けられる突起部と係合するフック部を有する構成としてよい。
＜入浴装置の使用例＞
【００３８】
次に、入浴装置１の使用例について説明する。図８は、本発明の実施形態に係る入浴装置１を使って入浴者Ｍが浴槽２内に入る流れを示した概略斜視図である。図８の（ａ）から（ｄ）の順に、入浴者Ｍが浴槽２内に入るための動作が進んでいく。
【００３９】
入浴者Ｍが浴槽２内に入るにあたって、入浴装置１の座部１４は、昇降駆動部１２のフレーム部１１に対するスライド移動を利用して、その一部が浴槽２の縁上に配置される。詳細には、座部１４は、その一部が、フレーム部１１の腕部１１２ｂ上に位置するように動かされる。この際、上面視して、座部１４は、浴槽２からその一部がはみ出しても良いし、はみ出さなくても良い。
【００４０】
座部１４が浴槽２の手前側の縁に寄せられると、図８（ａ）に示すように、入浴者Ｍは座部１４上に臀部を載せる。本実施形態の構成によれば、入浴者Ｍが入浴時に座る座部１４自体を浴槽２の縁側に寄せることができるので、座部１４の側面に移乗用のフラップを設ける必要がない。なお、入浴者Ｍは、手すり等を利用しながら座部１４に移乗しても良いし、介助者の助けを得て座部１４に移乗しても良い。また、浴槽１２の縁に寄せられた座部１４の位置が動かないように、昇降駆動部１２はスライド移動不可能にロックされるのが好ましい。
【００４１】
図８（ａ）に示すように座部１４に臀部を載せた入浴者Ｍは、図８（ｂ）に示すように、脚を浴槽２内に入れる。当該動作は、入浴者が自力で行っても良いし、介助者の助けを得て行われても良い。
【００４２】
図８（ｂ）の状態になると、例えば介助者が昇降駆動部１２をスライド移動させることによって、図８（ｃ）に示すように、座部１４が浴槽２の短手方向の中央部へと移される。座部１４が浴槽２の短手方向の中央部に移されると、昇降駆動部１２はスライド移動不可能にロックされる。本方式によれば、介助者は、昇降駆動部１２を押し込むだけで入浴者Ｍを浴槽２の中央位置まで移動させることができ、入浴者Ｍを抱える必要がない。このために、本実施形態の入浴装置１は介助者の労力を軽減可能である。
【００４３】
図８（ｃ）の状態になると、介助者が操作スイッチ部１２７を操作して昇降駆動部１２を駆動させ、支柱部１３を降下させる。これにより、図８（ｄ）に示すように、入浴者Ｍは浴槽２内に溜められた湯に浸かることができる。なお、浴槽２内の湯に浸かった入浴者Ｍが浴槽２から出る場合には、以上と逆の手順が行われる。
【００４４】
図９は、本発明の実施形態に係る入浴装置１が使用されない場合の状態の一例を示す概略斜視図である。例えば、浴槽２内に入浴装置１を使用する必要がない者（例えば、軽度の要介助者や健常者等）が入る場合、図９に示すように、支柱部１３から座部１４及び背当部１５を取り外してよい。また、図９に示すように、昇降駆動部１２及び支柱部１３を浴槽２の一端側に寄せてもよい。このようにすると、入浴装置１を使用する必要がない者は、入浴装置１を邪魔に感じたり、入浴装置１によって圧迫感を与えられたりすることなく、浴槽２内に入ることができる。
【００４５】
なお、本実施形態の構成では、座部１４等の取り外しによって、浴槽２の内壁や支柱部１３の外壁を露出した状態にできるので、清掃やメンテナンスが行い易いといったメリットもある。また、本実施形態の入浴装置１では、駆動昇降部１２は縦長形状とされて、その大部分が支柱部１３と同等の幅に設けられている。このために、昇降駆動部１２が、入浴装置１を使用する必要がない者に対して与える圧迫感を低減できる。
【００４６】
また、座部１４等が取り外された支柱部１３は、手すり代わりとして使用可能である。駆動昇降部１２の昇降によって支柱部１３は、その高さ位置を適宜変更できる。このために、例えば入浴者の身長に応じて、或いは、浴槽２内に入る場合と浴槽２外に出る場合との状況の違い等に応じて、手すりとなる支柱部１３の高さ位置を適切な位置に変更できるので便利である。
【００４７】
なお、支柱部１３には、入浴者が握り易いように把持部が設けられてもよい。当該把持部は、使用しない場合には折り畳めるように構成されても良い。また、座部１４が取り付けられる支柱部１３自体の形状を変更して、支柱部１３が把持部を含むようにしても良い。把持部を含む形状として、例えば、支柱部１３は、図１０に示すような枠体形状（環状）に形成されても良いし、その他、Ｔ字状や十字状等に形成されても構わない。
【００４８】
図１０は、本発明の実施形態に係る入浴装置１の変形例を示す概略斜視図である。図１０では、浴槽２も併せて示されている。変形例の入浴装置１も、上面視コの字状のフレーム部１１と、フレーム部１１上に載置される昇降駆動部１２と、昇降駆動部１２によって昇降される支柱部１３と、を含む。支柱部１３の下部には、座部が着脱可能に取り付けられる。昇降駆動部１２は、上述した機構と同様に、モーターとワイヤーを利用して支柱部１３を昇降させる構成であって良い。
＜その他＞
【００４９】
以上に示した実施形態は、本発明の例示にすぎない。以上に示した実施形態の構成は、本発明の技術思想を超えない範囲で適宜変更されて構わない。
【００５０】
例えば、以上に示した実施形態では、座部１４が支柱部１３に対して着脱可能である構成とした。しかしながら、場合によっては、座部１４は支柱部１３に対して固定されるものであっても良い。このような場合でも、例えば、座部１４を折り畳み式にすれば、座部１４が邪魔に感じられなくできる。また、座部１４が取り外せなくても、昇降駆動部１２のスライド移動に伴って座部１４を邪魔にならないようによけることが可能である。
【００５１】
また、図１１に示すように、入浴装置１を利用する入浴者の安全性向上を狙って、昇降動する支柱部１３の上部に、座部１４に座った入浴者を包み込むようにして姿勢を安定させるシート部材２０（スリングシート）の一部を取り付ける取付部２１が設けられてもよい。なお、図１１は、本発明の実施形態に係る入浴装置１の他の変形例を示す概略斜視図である。図１１においては、シート部材２０は座部１４に固定されているが、場合によっては座部１４に固定されなくても良い。
【００５２】
図１２は、図１１に示す取付部２１を拡大して示した概略平面図である。図１２に示すように、取付部２１は、支柱部１３の対向する側面に対をなして設けられる。一対の取付部２１は対称配置されている。各取付部２１は、湾曲した回動バー２１１ａを中心軸Ｏを中心として回動可能に支持する支持部２１１と、矢印Ｘ方向に付勢される回動バー２１１ａの回動を規制する規制バー２１２ａを有するフック状の引掛け部２１２と、を備える。
【００５３】
回動バー２１１ａを付勢方向（矢印Ｘ方向）と反対方向に回動して回動バー２１１ａと規制バー２１２ａとの当接を解消することにより、シート部材２０の輪っか部２０ａを引掛け部２１２に引掛けることができる。輪っか部２０ａが引掛けられた後、付勢力によって回動バー２１１ａと規制バー２１２ａとが当接した状態に戻すと、シート部材２０の輪っか部２０ａが引掛け部２１２から外れることを防止できる。
【００５４】
入浴者が座部１４に座る場合には、シート部材２０の輪っか部２０ａの少なくとも一方が取付部２１から外される。そして、入浴者が座部１４に座った状態で、シート部材２０の輪っか部２０ａが取付部２１に取り付けられる。これにより、入浴者は、支柱部１３に吊るされたシート部材２０に体を包み込まれたような状態になる。このために、座部１４が昇降する際に、入浴者は体幹を保持されて安定した姿勢を維持できる。
【符号の説明】
【００５５】
１  入浴装置
２  浴槽
１１  フレーム部
１２  昇降駆動部
１３  支柱部
１４  座部
２０  シート部材
２１  取付部
１１１  基部
１１２ａ、１１２ｂ  腕部
Ｍ  入浴者
【図１】
2015211709.tif 000003
【図２】
2015211709.tif 000004
【図３】
2015211709.tif 000005
【図４】
2015211709.tif 000006
【図５】
2015211709.tif 000007
【図６】
2015211709.tif 000008
【図７】
2015211709.tif 000009
【図８】
2015211709.tif 000010
【図９】
2015211709.tif 000011
【図１０】
2015211709.tif 000012
【図１１】
2015211709.tif 000013
【図１２】
2015211709.tif 000014